(57)【特許請求の範囲】
【請求項１】
撮影レンズを通過した光束を受光して電気信号に変換する撮像素子を備え、前記撮像素子が出力する電気信号に基づいて静止画撮影とライブビュー撮像・表示を行うことが可能なカメラであって、
前記撮影レンズを通過する光量を調節する絞り駆動機構と、
静止画撮影時とライブビュー撮像・表示時における前記絞り駆動機構の第１の動作条件に応じて、前記静止画撮影時の露光前に行われる前記ライブビュー撮像・表示の停止タイミングを制御する制御部と、
を備え、
前記第１の動作条件は、前記静止画撮影時の露光時の絞り値が、前記ライブビュー撮像・表示時の絞り値以上である、という動作条件であり、
前記制御部は、前記第１の動作条件を満たさない場合は前記静止画撮影時の露光時の絞り値への絞り駆動の開始前に前記ライブビュー撮像・表示を停止し、前記第１の動作条件を満たす場合は前記静止画撮影時の露光時の絞り値への絞り駆動中に前記ライブビュー撮像・表示を行い、前記絞り駆動の完了後に前記ライブビュー撮像・表示を停止する
ことを特徴とするカメラ。
【請求項２】
前記撮影レンズの焦点位置を調節するレンズ駆動機構を更に備え、
前記制御部は、前記レンズ駆動機構の第２の動作条件に応じて、前記静止画撮影時の露光前に行われる前記ライブビュー撮像・表示の停止タイミングを制御し、
前記第２の動作条件は、前記静止画撮影時の露光前に行われる前記レンズ駆動機構の駆動量が所定量以下である、という動作条件であり、
前記制御部は、前記第１の動作条件または前記第２の動作条件を満たさない場合は前記静止画撮影時の露光時の絞り値への絞り駆動の開始前に前記ライブビュー撮像・表示を停止し、前記第１の動作条件と前記第２の動作条件を満たす場合は前記静止画撮影時の露光時の絞り値への絞り駆動中に前記ライブビュー撮像・表示を行い、前記絞り駆動の完了後に前記ライブビュー撮像・表示を停止する
ことを特徴とする請求項１に記載のカメラ。
【請求項３】
撮影レンズを通過した光束を受光して電気信号に変換する撮像素子を備え、前記撮像素子が出力する電気信号に基づいて静止画撮影とライブビュー撮像・表示を行うことが可能なカメラであって、
前記撮影レンズを通過する光量を調節する絞り駆動機構と、
静止画撮影時とライブビュー撮像・表示時における前記絞り駆動機構の第１の動作条件に応じて、前記静止画撮影時の露光後に行われる前記ライブビュー撮像・表示の開始タイミングを制御する制御部と、
を備え、
前記第１の動作条件は、前記静止画撮影時の露光時の絞り値が、前記ライブビュー撮像・表示時の絞り値以上である、という動作条件であり、
前記制御部は、前記第１の動作条件を満たす場合は前記ライブビュー撮像・表示時の絞り値への絞り駆動中に前記ライブビュー撮像・表示を開始し、前記第１の動作条件を満たさない場合は前記ライブビュー撮像・表示時の絞り値への絞り駆動の完了後に前記ライブビュー撮像・表示を開始する
ことを特徴とするカメラ。
【請求項４】
前記第１の動作条件は、前記静止画撮影時の露光時の絞り値にオフセット値を加えた値が、前記ライブビュー撮像・表示時の絞り値以上である、という動作条件である、
ことを特徴とする請求項１又は３に記載のカメラ。
【請求項５】
前記オフセット値は、前記ライブビュー表示のガンマカーブに基づいた値である、
ことを特徴とする請求項４に記載のカメラ。
【請求項６】
前記オフセット値は、予め記憶部に記憶されている、
ことを特徴とする請求項４又は５に記載のカメラ。
【請求項７】
ユーザの操作を受け付ける操作部を更に備え、
前記オフセット値は、前記ユーザによる前記操作部の操作に応じて設定される、
ことを特徴とする請求項４に記載のカメラ。
【発明の詳細な説明】
【技術分野】
【０００１】
本発明は、ライブビュー表示可能なカメラに関する。
【背景技術】
【０００２】
従来のデジタルカメラでは、背面モニタやＥＶＦ（Electronic View Finder）等の表示部のライブビュー表示により被写体を確認しながら撮影が行われている。
ユーザは、ライブビュー表示が行われている表示部を見ながら被写体を画枠に捕らえて、レリーズボタンを押すことで狙った被写体をスチル（静止画）撮影することができる。
【０００３】
一般的なデジタルカメラは、１つの撮像素子と光学系等によってライブビュー表示とスチル撮影とを実現しているので、スチル撮影で像取得している間はライブビュー表示できず、結果として、表示部の表示がブラックアウトする期間（以下、「ブラックアウト期間」と称す）が存在する。
【０００４】
ライブビュー表示できない状況として、露光時間を制御するメカニカルシャッタが閉じている場合や、撮像素子が静止画取得状態であってライブビュー表示される画像を出力できない場合、そして絞り駆動中のように露出変化中の場合等の状況がある。
【０００５】
例えば、特許文献１には、ライブビュー表示中において、絞り駆動中はスルー画（ライブビュー表示される画像）をフリーズする技術が開示されている。
ライブビュー表示中に絞りを早く且つ大きく変更する場合、明るさ変動によって表示部の表示が見苦しくなる。このため、従来では、ライブビュー表示中にいて、絞り駆動中はスルー画をフリーズ又はブラックアウトするか、或いは、絞りをゆっくり（時間をかけて）駆動する、といった制御が行われている。
【先行技術文献】
【特許文献】
【０００６】
【特許文献１】特開２００７−１８９４８１号公報
【発明の概要】
【発明が解決しようとする課題】
【０００７】
ライブビュー表示ができない期間が短いほど、撮影し易いカメラとなる。
例えば被写体を追いかけつつ連写撮影を行う場合、静止画撮影前後のブラックアウト期間が長いとブラックアウト期間中に被写体を見失う可能性が増えるため、静止画撮影前後に生じるブラックアウト期間はできる限り短くすることが求められている。
【０００８】
本発明は、上記実状に鑑み、連写撮影中に被写体を追いかけ易いライブビュー表示を行うことができるカメラを提供することを目的とする。
【課題を解決するための手段】
【０００９】
本発明の第１の態様は、撮影レンズを通過した光束を受光して電気信号に変換する撮像素子を備え、前記撮像素子が出力する電気信号に基づいて静止画撮影とライブビュー撮像・表示を行うことが可能なカメラであって、前記撮影レンズを通過する光量を調節する絞り駆動機構と、静止画撮影時とライブビュー撮像・表示時における前記絞り駆動機構の第１の動作条件に応じて、前記静止画撮影時の露光前に行われる前記ライブビュー撮像・表示の停止タイミングを制御する制御部と、を備え、前記第１の動作条件は、前記静止画撮影時の露光時の絞り値が、前記ライブビュー撮像・表示時の絞り値以上である、という動作条件であり、前記制御部は、前記第１の動作条件を満たさない場合は前記静止画撮影時の露光時の絞り値への絞り駆動の開始前に前記ライブビュー撮像・表示を停止し、前記第１の動作条件を満たす場合は前記静止画撮影時の露光時の絞り値への絞り駆動中に前記ライブビュー撮像・表示を行い、前記絞り駆動の完了後に前記ライブビュー撮像・表示を停止する、カメラを提供する。
【００１０】
本発明の第２の態様は、第１の態様において、前記撮影レンズの焦点位置を調節するレンズ駆動機構を更に備え、前記制御部は、前記レンズ駆動機構の第２の動作条件に応じて、前記静止画撮影時の露光前に行われる前記ライブビュー撮像・表示の停止タイミングを制御し、前記第２の動作条件は、前記静止画撮影時の露光前に行われる前記レンズ駆動機構の駆動量が所定量以下である、という動作条件であり、前記制御部は、前記第１の動作条件または前記第２の動作条件を満たさない場合は前記静止画撮影時の露光時の絞り値への絞り駆動の開始前に前記ライブビュー撮像・表示を停止し、前記第１の動作条件と前記第２の動作条件を満たす場合は前記静止画撮影時の露光時の絞り値への絞り駆動中に前記ライブビュー撮像・表示を行い、前記絞り駆動の完了後に前記ライブビュー撮像・表示を停止する、カメラを提供する。
【００１１】
本発明の第３の態様は、撮影レンズを通過した光束を受光して電気信号に変換する撮像素子を備え、前記撮像素子が出力する電気信号に基づいて静止画撮影とライブビュー撮像・表示を行うことが可能なカメラであって、前記撮影レンズを通過する光量を調節する絞り駆動機構と、静止画撮影時とライブビュー撮像・表示時における前記絞り駆動機構の第１の動作条件に応じて、前記静止画撮影時の露光後に行われる前記ライブビュー撮像・表示の開始タイミングを制御する制御部と、を備え、前記第１の動作条件は、前記静止画撮影時の露光時の絞り値が、前記ライブビュー撮像・表示時の絞り値以上である、という動作条件であり、前記制御部は、前記第１の動作条件を満たす場合は前記ライブビュー撮像・表示時の絞り値への絞り駆動中に前記ライブビュー撮像・表示を開始し、前記第１の動作条件を満たさない場合は前記ライブビュー撮像・表示時の絞り値への絞り駆動の完了後に前記ライブビュー撮像・表示を開始する、カメラを提供する。
【００１５】
本発明の第４の態様は、第１又は第３の態様において、前記第１の動作条件は、前記静止画撮影時の露光時の絞り値にオフセット値を加えた値が、前記ライブビュー撮像・表示時の絞り値以上である、という動作条件である、カメラを提供する。
【００１６】
本発明の第５の態様は、第４の態様において、前記オフセット値は、前記ライブビュー表示のガンマカーブに基づいた値である、カメラを提供する。
本発明の第６の態様は、第４又は第５の態様において、前記オフセット値は、予め記憶部に記憶されている、カメラを提供する。
【００１７】
本発明の第７の態様は、第４の態様において、ユーザの操作を受け付ける操作部を更に備え、前記オフセット値は、前記ユーザによる前記操作部の操作に応じて設定される、カメラを提供する。
【発明の効果】
【００１８】
本発明によれば、連写撮影中に被写体を追いかけ易いライブビュー表示を行うことができる、という効果を奏する。
【図面の簡単な説明】
【００１９】
【図１】第１の実施形態に係るカメラの構成例を示す図である。
【図２】第１の実施形態に係るカメラの基本動作の一例を示すフローチャートである。
【図３】従来の静止画撮影処理の一例を示すフローチャートである。
【図４】従来の静止画撮影処理の一例を示すフローチャートである。
【図５】第１の実施形態に係るカメラの静止画撮影処理の一例を示すフローチャートである。
【図６】静止画露光前のライブビュー表示停止タイミングを決定する動作条件１とライブビュー表示の露出の一例を説明する図である。
【図７】静止画露光後のライブビュー表示停止タイミングを決定する動作条件２とライブビュー表示の露出の一例を説明する図である。
【図８】図６の中央のグラフが、シャッタユニットの動作（メカニカルシャッタの開閉動作）の一例を示すグラフに置き換えられた図である。
【図９】図７の中央のグラフが、シャッタユニットの動作（メカニカルシャッタの開閉動作）の一例を示すグラフに置き換えられた図である。
【図１０】第１の実施形態に係るカメラの静止画撮影処理中のＥＶＦ液晶又は背面液晶モニタの表示例を時系列に示した図である。
【図１１】第１の実施形態の変形例２に係るカメラの静止画撮影処理の一例を示すフローチャートである。
【図１２】第１の実施形態とその第１の実施形態の変形例３との違いを説明する図である。
【図１３】第１の実施形態とその第１の実施形態の変形例３との違いを説明する図である。
【図１４】第２の実施形態に係るカメラの静止画撮影処理の一例を示すフローチャートである。
【図１５】第２の実施形態に係るカメラのライブビュー表示停止処理の一例を示すフローチャートである。
【図１６】第２の実施形態に係るカメラのライブビュー表示開始処理の一例を示すフローチャートである。
【図１７】第２の実施形態に係るカメラの静止画撮影処理中のＥＶＦ液晶又は背面液晶モニタの表示例を時系列に示すと共に、画質判定に基づくライブビュー表示の一例を説明する図である。
【図１８】第２の実施形態に係る変形例において、画質判定に基づくライブビュー表示の一例を説明する図である。
【図１９】明るさ変換テーブルの一例を示す図である。
【発明を実施するための形態】
【００２０】
以下、図面を参照しながら、本発明の実施の形態について詳細に説明する。
＜第１の実施形態＞
図１は、本発明の第１の実施形態に係るカメラの構成例を示す図である。
【００２１】
図１に示したように、本実施形態に係るカメラは、ボディユニット１００、レンズユニット２００、及びＥＶＦユニット３００を含む。
レンズユニット２００は、ボディユニット１００の前面に設けられた不図示のレンズマウントを介して着脱自在であり、このカメラにおいて交換可能である。
【００２２】
レンズユニット２００は、撮影レンズ２０１（２０１ａ、２０１ｂ）、絞り２０２、レンズ駆動機構２０３、絞り駆動機構２０４、及びレンズ制御用マイクロコンピュータ（以下、「Ｌμｃｏｍ」と称す）２０５を含む。
【００２３】
撮影レンズ２０１は、レンズ駆動機構２０３内に備えられている不図示のＤＣ（Direct Current）モータによって、光軸方向に駆動される。絞り２０２は、絞り駆動機構２０４内に備えられている不図示のステッピングモータによって駆動される。この絞り駆動機構２０４による絞り２０２の駆動により、撮影レンズ２０１を通過する光量の調節が行われる。
【００２４】
Ｌμｃｏｍ２０５は、レンズ駆動機構２０３や絞り駆動機構２０４等の、レンズユニット２００内の各部を駆動制御する。Ｌμｃｏｍ２０５は、後述するボディ制御用マイクロコンピュータ１１０と、後述する通信コネクタ１１１を介して電気的に接続されており、ボディ制御用マイクロコンピュータ１１０と各種のデータの授受が可能であり、ボディ制御用マイクロコンピュータ１１０によって制御される。
【００２５】
ボディユニット１００は、次のような構成を含む。
レンズユニット２００内の撮影レンズ２０１及び絞り２０２を介してボディユニット１００に入射する不図示の被写体からの光束（光学系を通過した被写体像）は、開状態のシャッタユニット１０１を通過して、撮像素子１０２に結像される。シャッタユニット１０１は、レンズユニット２００の光軸上に設けられたフォーカルプレーン式のシャッタユニットである。撮像素子１０２は、結像された被写体像をアナログ電気信号に光電変換する。撮像素子１０２による光電変換は、撮像素子駆動ＩＣ（Integrated Circuit）１０３により制御される。撮像素子駆動ＩＣ１０３は、撮像素子１０２により光電変換されたアナログ電気信号を、画像処理ＩＣ１０４が処理するためのデジタル電気信号に変換する。画像処理ＩＣ１０４は、撮像素子駆動ＩＣ１０３により変換されたデジタル電気信号を画像信号に変換する。
【００２６】
画像処理ＩＣ１０４には、撮像素子１０２、撮像素子駆動ＩＣ１０３、記憶領域としてのＳＤＲＡＭ（Synchronous Dynamic Random Access Memory）１０５、背面液晶モニタ１０６、その背面液晶モニタ１０６内の液晶を背面から光を照らすバックライト１０７、及び通信コネクタ１０８を介しての記録メディア１０９等が接続されており、これらは、電子撮像機能と共に電子記録表示機能を提供可能に構成されている。
【００２７】
記録メディア１０９は、各種の半導体メモリカードや外付けのハードディスクドライブ（ＨＤＤ）等の外部記録媒体であり、通信コネクタ１０８を介してボディユニット１００と通信可能、且つ交換可能に装着される。
【００２８】
また、画像処理ＩＣ１０４には、ボディユニット１００内の各部を制御するためのボディ制御用マイクロコンピュータ（以下、Ｂμｃｏｍと称す）１１０も接続されている。Ｂμｃｏｍ１１０は、連写撮影時の撮影間隔を計測する不図示のタイマ等を有し、カメラの全体動作の制御の他、計数、モード設定、検出、判定、及び演算等の機能を有している。例えば、Ｂμｃｏｍ１１０は、ユーザ（撮影者）に対するカメラの動作状態の告知を背面液晶モニタ１０６に表示させる。Ｂμｃｏｍ１１０には、通信コネクタ１１１、シャッタ駆動制御回路１１２、カメラ操作スイッチ（ＳＷ）１１３、及び不図示の電源回路等が接続されている。
【００２９】
なお、Ｂμｃｏｍ１１０とＬμｃｏｍ２０５は、レンズユニット２００がボディユニット１００に装着されることにより、通信コネクタ１１１を介して通信可能に電気的接続が為される。そして、Ｌμｃｏｍ２０５がＢμｃｏｍ１１０に従属的に協働しながら、カメラとして稼動するようになっている。
【００３０】
シャッタ駆動制御回路１１２は、シャッタユニット１０１における不図示の先幕と後幕との動きを制御すると共に、Ｂμｃｏｍ１１０との間で、シャッタユニット１０１の開閉動作を制御する信号と先幕走行完了時の信号の授受を行う。
【００３１】
カメラ操作スイッチ１１３は、例えば撮影動作の実行を指示するレリーズスイッチ、撮影モードを連写撮影モードや通常撮影モード等に切り替えるモード変更スイッチ、電源のオン・オフを切り替えるパワースイッチなど、ユーザがカメラを操作するために必要な操作ボタンを含むスイッチ群で構成される。
【００３２】
なお、不図示の電源回路は、電源としての不図示の電池の電圧を、カメラの各回路ユニットが必要とする電圧に変換して供給する。
ＥＶＦユニット３００は、ＥＶＦ液晶３０１、そのＥＶＦ液晶３０１を背面から光を照らすバックライト３０２、及び接眼レンズ３０３を含み、ユーザは接眼レンズ３０３を通して例えばライブビュー表示を見ることができる。
【００３３】
なお、本実施形態に係るカメラにおいて、ライブビュー表示は、背面液晶モニタ１０６又は、ＥＶＦ液晶３０１の何れにも表示可能であり、ユーザは撮影状況に応じて、何れに表示させるかを選択することができる構成になっている。
【００３４】
次に、本実施形態に係るカメラの動作について説明する。
はじめに、撮影動作及びライブビュー動作について説明する。
本実施形態に係るカメラにおいて、撮影動作は次のようにして行われる。
【００３５】
まず、Ｂμｃｏｍ１１０により画像処理ＩＣ１０４が制御されて、撮像素子１０２及び撮像素子駆動ＩＣ１０３から画像データ（デジタル電気信号）が画像処理ＩＣ１０４に入力されると、画像処理ＩＣ１０４は、この画像データを、一時保存用メモリであるＳＤＲＡＭ１０５に保存する。なお、ＳＤＲＡＭ１０５は、画像処理ＩＣ１０４が画像処理を行うためのワークエリアとしても使用される。また、画像処理ＩＣ１０４は、この画像データをＪＰＥＧ（Joint Photographic Experts Group）データに変換する画像処理を行って、記録メディア１０９に保存させることもできる。
【００３６】
シャッタ駆動制御回路１１２は、Ｂμｃｏｍ１１０からシャッタユニット１０１を駆動制御するための信号を受け取るとシャッタユニット１０１を制御してシャッタユニット１０１に開閉動作を行わせる。それと共に、所定のタイミングで、Ｂμｃｏｍ１１０から不図示のフラッシュ用通信コネクタを介して不図示のフラッシュ制御用マイクロコンピュータ及び発光制御回路に対し、フラッシュを発光させるための発光信号を出力する。このときに撮像素子１０２及び撮像素子駆動ＩＣ１０３から出力された画像データに対して所定の画像処理を行って記録メディア１０９に記録することで撮影動作が完了する。
【００３７】
本実施形態に係るカメラにおいて、ライブビュー動作は次のようにして行われる。
撮影レンズ２０１からの光束は撮像素子１０２へ導かれる。撮像素子１０２は、例えば、１秒当たり６０枚程度（６０フレーム／秒）の割合で連続的に露光を行い、このときに撮像素子１０２及び撮像素子駆動ＩＣ１０３から出力される画像データを、画像処理ＩＣ１０４によりビデオ信号に変換して背面液晶モニタ１０６に与えることで、被写体の動画像を背面液晶モニタ１０６に表示させることができる。あるいは、そのビデオ信号をＥＶＦ液晶３０１に与えることで、被写体の動画像をＥＶＦ液晶３０１に表示させることもできる。このような表示は、「ライブビュー表示」と呼ばれており、周知である。以下では、「ライブビュー」又は「ライブビュー表示」を、「ＬＶ（Live View）」と略すこともある。
【００３８】
なお、ＬＶ動作時には、撮影レンズ２０１からの光束が常に撮像素子１０２へ導かれるので、被写体の明るさの測光処理や、被写体に対する周知の測距処理を、撮像素子１０２及び撮像素子駆動ＩＣ１０３から出力される画像データに基づいて画像処理ＩＣ１０４に行わせることができる。以下では、このようにして撮像素子１０２及び撮像素子駆動ＩＣ１０３から出力される画像データに基づいて画像処理ＩＣ１０４及びＢμｃｏｍ１１０により行われる被写体の明るさの測光処理、及び、被写体に対する測距及び自動合焦の処理を、それぞれ「ＬＶ測光」及び「ＬＶＡＦ（Auto Focus）」と称することとする。
【００３９】
次に、本実施形態に係るカメラの基本動作について説明する。
図２は、その基本動作の一例を示すフローチャートである。
図２において、まず、ステップ（Ｓｔｅｐ）１０では、ユーザがカメラ操作スイッチ１１３を操作して電源をオン（ＯＮ）することでカメラ内の電気回路へ電源が供給される。これにより、Ｂμｃｏｍ１１０、画像処理ＩＣ１０４、撮像素子駆動ＩＣ１０３、撮像素子１０２等が起動し、撮像素子１０２、レンズユニット２００、ＥＶＦユニット３００等の初期化が行われる。
【００４０】
続くステップ２０では、ライブビュー表示の準備処理を行う。ライブビュー表示では、撮像素子１０２の感度及び電子シャッタ速度と、レンズユニット２００内の絞り位置により、撮影レンズ２０１に結像される被写体像の光量を調節するが、ライブビュー表示開始時は被写体輝度が不明である。そのため、このライブビュー表示の準備処理では、所定の感度及び電子シャッタ速度と所定の絞り位置の設定による撮像素子１０２及び撮像素子駆動ＩＣ１０３からの出力（撮像出力）からＬＶ測光が行われ、得られた測光値でライブビュー表示の開始フレームの露出が決定される。
【００４１】
続くステップ３０では、ライブビュー表示を開始する。これにより、ユーザは、ＥＶＦユニット３００の接眼レンズ３０３を覗くことで被写体像を確認できるし、背面液晶モニタ１０６を見ることでも被写体像を確認できるようになる。
【００４２】
続くステップ４０では、ＬＶ測光を行い、得られた測光値から、ライブビュー表示の露出が狙いの露出になるように露出更新の制御を行う（ＬＶ測光及びライブビュー露出更新の制御）。
【００４３】
続くステップ５０では、レリーズボタンが押下されたか（レリーズスイッチがオン（ＯＮ）したか）否かを判定する。
ステップ５０の判定において、レリーズボタンが押下されたと判定した場合（ステップ５０がＹｅｓ）、続くステップ６０では後述の静止画撮影処理を行い、ステップ７０へ進む。
【００４４】
一方、ステップ５０の判定において、レリーズボタンが押下されていないと判定した場合は（ステップ５０がＮｏ）、ステップ７０へ進む。
ステップ７０では、電源がオフ（ＯＦＦ）したか否かを判定する。
【００４５】
ステップ７０の判定において、電源がオフしたと判定した場合（ステップ７０がＹｅｓ）、本動作が終了する。
一方、ステップ７０の判定において、電源がオフしていないと判定した場合（ステップ７０がＮｏ）、ステップ４０へ戻る。
【００４６】
このような図２に示した基本動作により、電源がオンの状態では、レリーズボタンが押下されない限り、定期的にステップ４０（ＬＶ測光及びライブビュー露出更新）が繰り返され、常に狙いの露出になるように制御される動作となる。
【００４７】
次に、図２のステップ６０の静止画撮影処理について詳細に説明する。
まず、ステップ６０の静止画撮影処理の説明の前に、ステップ６０の静止画撮影処理と従来に行われていた静止画撮影処理との違いを明確にするため、従来の静止画撮影処理について説明する。
【００４８】
図３は、従来の静止画撮影処理の一例を示すフローチャートである。
なお、ここでは、図２のステップ６０の静止画撮影処理の代わりに、図３に示す従来の静止画撮影処理が行われる場合を仮定する。この従来の静止画撮影処理では、露光（静止画露光）中以外は、ライブビュー表示が行われるように制御される。
【００４９】
レリーズボタンが押下されると（図２のステップ５０がＹｅｓ）、図３に示したように、まず、ステップ１００では、被写体を測光し、得られた測光値から静止画撮影時の露出条件を決定する。この露出条件は、例えば、静止画撮影時のＡｖ（Aperture value）値、シャッタ速度（シャッタユニット１０１のシャッタ速度）、及び撮像感度である。
【００５０】
続くステップ１０１では、ＬＶＡＦを行い、被写体にピントを合わせるレンズ位置（撮影レンズ２０１の位置）を検出（決定）する。
続くステップ１０２、１０３、及び１０４の処理は並列に行われる。
【００５１】
なお、図３において、上下各々の二本線の間に記載された複数の処理は並列処理であることを示し、その複数の処理が全て終了した後に、その複数の処理の後の処理へ進むことを示している（他の図も同様）。
【００５２】
ステップ１０２では、ライブビュー表示時の絞り位置から静止画撮影時の絞り位置へ絞り２０２を駆動する。なお、ライブビュー表示時の絞り値（Ａｖ値）と静止画撮影時の絞り値（Ａｖ値）との差が大きいほど、絞り駆動完了までに時間を要する。例えば、数段分の光量変化を行うためには、数十ｍｓ程度の時間を要するので絞り駆動中のライブビュー表示は露出が不安定になる。
【００５３】
ステップ１０３では、ステップ１０１で決定したレンズ位置へ撮影レンズ２０１を駆動する（以下、「ＬＤ駆動」とも称す）。なお、撮影レンズ２０１を大きく駆動する場合、ライブビュー表示される画像は、ピントがぼけた状態になることもある。
【００５４】
ステップ１０４では、露光前シャッタ準備処理を行う。なお、ライブビュー表示中はシャッタユニット１０１が全開状態である。静止画撮影では、露光前はシャッタユニット１０１の先幕で遮蔽されており、露光開始で先幕が開き、露光時間完了時にシャッタユニット１０１の後幕が閉じる動作が行われる。従って、ステップ１０４では、静止画撮影（露光）に備えてシャッタユニット１０１の先幕を閉じる動作が行われる。
【００５５】
続くステップ１０５では、ライブビュー表示を停止し、撮像モードを例えば６０フレーム／秒駆動から静止画露光のための制御に切り替える。
続くステップ１０６では、静止画露光を行う。より詳しくは、シャッタ秒時に応じた期間、シャッタユニット１０１を開状態にする。露光完了後は、撮像素子駆動ＩＣ１０３を経由した撮像素子１０２の出力は、画像処理ＩＣ１０４に送られて画像に変換される。変換された画像は、記録メディア１０９へ送られる。
【００５６】
続くステップ１０７では、静止画出力を完了した撮像素子１０２及び撮像素子駆動ＩＣ１０３をライブビュー表示の駆動にモードを切り替え、ライブビュー表示を開始する。なお、このときの電子シャッタ速度と撮像感度は、露光前のＬＶ測光で得た被写体輝度に基づいて設定される。
【００５７】
続くステップ１０８及び１０９の処理は並列に行われる。
ステップ１０８では、静止画撮影時の絞り位置からライブビュー表示時の絞り位置へ絞り２０２を駆動する。なお、前述したとおり、両者の絞り値（Ａｖ値）の差が大きいほど、絞り駆動中のライブビュー表示の露出が不安定となる。
【００５８】
ステップ１０９では、静止画露光のために駆動したシャッタユニット１０１を、露光前の状態に戻し、ライブビュー表示再開のためシャッタユニット１０１を全開状態にする動作を行う。なお、この動作は、フォーカルプレーン式のシャッタユニットでは、一般的にシャッタチャージと呼ばれる動作である。この動作では、露光動作で撮像素子１０２を遮光していた後幕が開く動作が行われる。この後幕駆動中は、撮像素子１０２が遮光状態から露光状態へ遷移することとなり、ライブビュー表示は暗黒表示（ブラックアウト）から明るい表示へ遷移することとなるが、その遷移時間は絞り駆動時間に比べて短い。
【００５９】
続くステップ１１０では、ＬＶ測光を行い、得られた測光値に基づいてライブビュー表示の露出を狙いの露出になるように露出更新の制御を行う（ＬＶ測光及びライブビュー露出更新の制御）。
【００６０】
続くステップ１１１では、連写撮影の場合、設定された連写速度で連写撮影を行うために、次駒撮影タイミングになったか否かを判定する。
ステップ１１１の判定において、次駒撮影タイミングになっていないと判定した場合は（ステップ１１１がＮｏ）、ステップ１１０へ戻る。
【００６１】
一方、ステップ１１１の判定において、次駒撮影タイミングになったと判定した場合（ステップ１１１がＹｅｓ）、続くステップ１１２では、レリーズボタンが継続して押下されているか否かを判定する。
【００６２】
ステップ１１２の判定において、継続して押下されていると判定した場合は（ステップ１１２がＹｅｓ）、ステップ１０１へ戻る。これにより、レリーズボタンが継続して押下されている間は、ステップ１０１からステップ１１２までの処理が繰り返され、連写撮影が行われる。
【００６３】
一方、ステップ１１２の判定において、継続して押下されていないと判定した場合は（ステップ１１２がＮｏ）、この従来の静止画撮影処理が終了し、リターンする。
前述したとおり、静止画撮影では、絞り駆動を早く行う必要がある。この場合、数段の絞り駆動を数ｍｓから数十ｍｓ以内に行うことになる。動画記録時の絞り駆動のように絞りをゆっくり動かしながら露出を適正に維持し続けるものとは異なり、１フレームの間に絞りの光量が大きく変化する場合は、露出を安定させ且つ適正に保つことが難しい。そのため、静止画撮影用の絞り値とライブビュー表示用の絞り値に差があると、絞り駆動中の露出が不安定となる。
【００６４】
ここで、その一例として、静止画露光前であるステップ１０２において、ライブビュー表示時の絞り位置が静止画撮影時の絞り位置よりＡｖ値が大きい（絞り２０２を通過する光量が少ない）場合の例について、図１０（Ａ）を参照しながら説明する。
【００６５】
図１０は、静止画撮影処理中のＥＶＦ液晶３０１又は背面液晶モニタ１０６の表示例を図１０の上側から下側へ時系列に示した図であり、図１０（Ａ）は、図３に示した従来の静止画撮影処理中の表示例を時系列に示している。図１０（Ａ）は静止画露光後にライブビュー表示の絞り位置へＡｖ値が大きくなる方向へ駆動している。この例の説明では、静止画露光前後のシャッタユニット１０１の駆動を考慮せず、絞り駆動中の挙動に限定して述べる。
【００６６】
この例では、ステップ１０２において、絞り２０２が開く動作となるので、図１０（Ａ）の「絞り駆動  ライブビューＡｖ→静止画Ａｖ」の表示例に示したように、ライブビュー表示が一時的に明るく表示される。ステップ１０６の静止画露光中は、図１０（Ａ）の「静止画露光」の表示例に示したように、ライブビュー表示がブラックアウトする。そして、静止画露光後は、撮像がライブビュー表示の絞り位置で適正となる電子シャッタ速度と撮像感度が設定される。この場合、静止画撮影時の絞り値では露出がオーバーとなるため、図１０（Ａ）の「絞り駆動  静止画Ａｖ→ライブビューＡｖ」の表示例に示したように、静止画露光終了直後に明るい画像が表示されることになる。この表示例では、画像全体が白とびから、絞り駆動に伴って適正露出に近づくことが示されている。絞り駆動完了後のステップ１１０と１１１（ＬＶ測光とライブビュー表示の露出更新）が繰り返されている間は、図１０（Ａ）の「絞り駆動後ライブビュー表示」の表示例に示したように、ライブビュー表示の露出が安定する。なお、通常のライブビュー表示中に絞り駆動を行う場合は、その絞り駆動が撮影タイムラグのように短時間であるほどメリットが得られるものはないので、急激な絞り駆動を行わずにゆっくり駆動することが可能であり、露出が安定するように制御できる。
【００６７】
連写撮影における次駒撮影に向けて図３のステップ１０２、１０３、及び１０４を行うとき、ライブビュー表示時の絞り位置から静止画撮影時の絞り位置へ絞り２０２を駆動し、これにより絞り２０２が開き、急激に光量が増加することで、ライブビュー表示は露出オーバーな表示になってしまう。これにシャッタユニット１０１の準備動作を含めると、ライブビュー表示の明るさが暗くなる場合もある。シャッタユニット１０１と絞り２０２の駆動方向及びタイミングによっては、絞り駆動中に一度明るくなった後に暗くなる、というような挙動を示すことも考えられる。このような状態において、電子シャッタ速度や撮像感度の制御を駆使することによる露出安定化は困難である。特に見栄え上問題となるのは、明暗が入り混じることである。白とびや露出オーバーな表示は、ユーザに眩しさを感じさせることがあり、周期的に光る光源を見ているような見苦しさをユーザに与えてしまう虞がある。
【００６８】
このように、露出不安定な期間にライブビュー表示を行うことは、ライブビュー表示の見栄えが悪いという問題がある。そこで、従来においては、その問題に対する対策として、露出不安定となる期間にはライブビュー表示を行わずにブラックアウトする、といった対策が為されている。
【００６９】
図４は、そのような対策を行うようにした従来の静止画撮影処理の一例を示すフローチャートである。
図４に示した従来の静止画撮影処理は、図３に示した従来の静止画撮影処理に対して、ライブビュー表示の停止と開始のタイミングが異なっている。
【００７０】
より詳しくは、図３に示した静止画撮影処理では、ライブビュー表示停止（ステップ１０５）が、静止画露光（ステップ１０６）の直前に行われていたのに対し、図４に示した静止画撮影処理では、そのライブビュー表示停止（ステップ１０５）が、ＬＶＡＦ及び合焦位置決定（ステップ１０１）の後であって、且つ、絞り駆動（ステップ１０２）、ＡＦ及びＬＤ駆動（ステップ１０３）、及び露光前シャッタ準備（ステップ１０４）の前に行われる。
【００７１】
また、図３に示した静止画撮影処理では、ライブビュー表示開始（ステップ１０７）が、静止画露光（ステップ１０６）の直後に行われていたのに対し、図４に示した静止画撮影処理では、そのライブビュー表示開始（ステップ１０７）が、絞り駆動（ステップ１０８）及び露光後シャッタチャージ（ステップ１０９）の後であって、且つ、ＬＶ測光及びライブビュー露出更新（ステップ１１０）の前に行われる。
【００７２】
図４に示した静止画撮影処理において、その他については、図３に示した静止画撮影処理と同様である。
このような図４に示した静止画撮影処理によって、露出が不安定となる期間の表示がブラックアウトすることで、明滅を繰り返すような見栄えの悪い状況を回避することができる。しかしながら、その一方で、像消失時間が増加し、ユーザは連写撮影中に被写体を追いかけることが困難になる。
【００７３】
その一例を、図１０（Ｂ）に示す。図１０（Ｂ）は、図４に示した従来の静止画撮影処理中の表示例を時系列に示している。
図１０（Ｂ）に示したように、図４に示した従来の静止画撮影処理によれば、静止画露光前後のブラックアウト期間が長くなるため、露出不安定期間は無くなるものの、それに伴って像表示期間が短くなる。そのため、ユーザは連写撮影中に被写体を追いかけることが困難になる、という課題が残る。
【００７４】
このような図３及び図４に示した従来の静止画撮影処理に対し、本実施形態に係る静止画撮影処理では、静止画露光前後において、所定条件が成立するか否かに応じてライブビュー表示の停止と開始のタイミングを変更することで、像消失時間の短縮と露出不安定による見栄え悪化防止を両立させるように、次のように処理が行われる。
【００７５】
図５は、本実施形態に係る静止画撮影処理（図２のステップ６０）の一例を示すフローチャートである。
図２のステップ５０においてレリーズボタンが押下されると（図２のステップ５０がＹｅｓ）、図５に示したように、まず、ステップ２００では、図３のステップ１００と同様に、被写体を測光し、得られた測光値から静止画撮影時の露出条件を決定する。この露出条件は、例えば、静止画撮影時のＡｖ値、シャッタ速度、及び撮像感度である。
【００７６】
続くステップ２０１では、図３のステップ１０１と同様に、ＬＶＡＦを行い、被写体にピントを合わせるレンズ位置（撮影レンズ２０１の位置）を検出（決定）する。
続くステップ２０２では、動作条件１が成立したか否かを判定する。動作条件１は、後述のステップ２０４、２０５、及び２０６の処理中にライブビュー表示が行われた場合に、そのライブビュー表示が見苦しくなるか否かに関係する条件である。より具体的には、動作条件１は、絞り値（Ａｖ値）において、ライブビュー表示時のＡｖ値と静止画撮影時のＡｖ値とを比較し、両者が等しいか、又は後者が前者よりも大きい、という動作条件である。数式で表すと、次式（１）のように表される。
【００７７】
ライブビュー表示時のＡｖ値≦静止画撮影時のＡｖ値      式（１）
ステップ２０２の判定において、動作条件１が成立していないと判定した場合（ステップ２０２がＮｏ）、続くステップ２０３ではライブビュー表示を停止し、ステップ２０４、２０５、及び２０６の並列処理へ進む。
【００７８】
一方、ステップ２０２の判定において、動作条件１が成立したと判定した場合（ステップ２０２がＹｅｓ）、ステップ２０３をスキップし、ステップ２０４、２０５、及び２０６の並列処理へ進む。なお、この場合は、ライブビュー表示が為されたままとなる。
【００７９】
ステップ２０４、２０５、及び２０６の並列処理では、図３のステップ１０２、１０３、及び１０４の並列処理と同様の処理が行われる。すなわち、ステップ２０４では、ライブビュー表示時の絞り位置から静止画撮影時の絞り位置へ絞りを駆動する。ステップ２０５では、ステップ２０１で決定したレンズ位置へ撮影レンズ２０１を駆動する。ステップ２０４では、露光前シャッタ準備処理を行う。但し、ステップ２０６では、シャッタユニット１０１の先幕を閉じる前に若干の待ち時間を設けることで先幕が閉じる時間を遅らせ、ステップ２０４の絞り駆動やステップ２０５のレンズ駆動が終了するタイミング付近でステップ２０６のシャッタ準備処理が完了することが望ましい。例えば、ステップ２０４の絞り駆動に２０ｍｓを要し、ステップ２０６でのシャッタユニット１０１の先幕が閉じる時間に１０ｍｓを要する場合、ステップ２０６では、１０ｍｓの待ち時間後にシャッタ準備駆動が開始することが望ましい。
【００８０】
ステップ２０４、２０５、及び２０６の並列処理の後、続くステップ２０７では、ステップ２０２と同様に、動作条件１が成立したか否かを判定する。
ステップ２０７の判定において、動作条件１が成立したと判定した場合（ステップ２０７がＹｅｓ）、続くステップ２０８ではライブビュー表示を停止し、ステップ２０９へ進む。
【００８１】
一方、ステップ２０７の判定において、動作条件１が成立していないと判定した場合（ステップ２０７がＮｏ）、ステップ２０８をスキップし、ステップ２０９へ進む。
ステップ２０９では、図３のステップ１０６と同様に、静止画露光を行う。
【００８２】
続くステップ２１０と、ステップ２１１及び２１２と、ステップ２１３の処理は並列に行われる。
ステップ２１０では、図３のステップ１０８と同様に、静止画撮影時の絞り位置からライブビュー表示時の絞り位置へ絞り２０２を駆動する。
【００８３】
ステップ２１１では、動作条件２が成立したか否かを判定する。動作条件２は、ステップ２１０及び２１３の処理中にライブビュー表示が行われた場合に、そのライブビュー表示が見苦しくなるか否かに関係する条件である。本実施形態では、動作条件２を、動作条件１と同じとするが、両者は異なる条件であってもよい。
【００８４】
ステップ２１１の判定において、動作条件２が成立したと判定した場合（ステップ２１１がＹｅｓ）、続くステップ２１２ではライブビュー表示を開始する。
一方、Ｓ２１１の判定において、動作条件２が成立していないと判定した場合（ステップ２１１がＮｏ）、ステップ２１２をスキップする。
【００８５】
ステップ２１３では、図３のステップ１０９と同様に、静止画露光のために駆動したシャッタユニット１０１を、露光前の状態に戻し、ライブビュー表示再開のためシャッタユニット１０１を全開状態にする動作を行う。
【００８６】
ステップ２１０と、ステップ２１１及び２１２と、ステップ２１３の並列処理の後、続くステップ２１４では、ステップ２１１と同様に、動作条件２が成立したか否かを判定する。
【００８７】
ステップ２１４の判定において、動作条件２が成立していないと判定した場合（ステップ２１４がＮｏ）、続くステップ２１５ではライブビュー表示を開始し、ステップ２１６へ進む。
【００８８】
一方、ステップ２１４の判定において、動作条件２が成立したと判定した場合（ステップ２１４がＹｅｓ）、ステップ２１５をスキップし、ステップ２１６へ進む。
ステップ２１６では、図３のステップ１１０と同様に、ＬＶ測光を行い、得られた測光値に基づいてライブビュー表示の露出が狙いの露出になるように露出の更新制御を行う。
【００８９】
続くステップ２１７では、図３のステップ１１１と同様に、連写撮影の場合、設定された連写速度で連写撮影を行うために、次駒撮影タイミングになったか否かを判定する。
ステップ２１７の判定において、次駒撮影タイミングになっていないと判定した場合は（ステップ２１７がＮｏ）、ステップ２１６へ戻る。
【００９０】
一方、ステップ２１７の判定において、次駒撮影タイミングになったと判定した場合（ステップ２１７がＹｅｓ）、続くステップ２１８では、図３のステップ１１２と同様に、レリーズボタンが継続して押下されているか否かを判定する。
【００９１】
ステップ２１８の判定において、継続して押下されていると判定した場合は（ステップ２１８がＹｅｓ）、ステップ２０１へ戻る。これにより、レリーズボタンが継続して押下されている間は、ステップ２０１からステップ２１８までの処理が繰り返され、連写撮影が行われる。
【００９２】
一方、ステップ２１８の判定において、継続して押下されていないと判定した場合は（ステップ２１８がＮｏ）、本実施形態に係る静止画撮影処理が終了し、リターンする。
ここで、図５に示したステップ２０２、２０７、２１１、２１４の判定条件である動作条件について、図６及び図７を用いて更に詳細に説明する。
【００９３】
図６は、静止画露光前（図５のステップ２０９の前）のライブビュー表示停止タイミングを決定する動作条件１とライブビュー表示の露出の一例を説明する図である。図７は、静止画露光後（図５のステップ２０９の後）のライブビュー表示停止タイミングを決定する動作条件２とライブビュー表示の露出の一例を説明する図である。なお、本実施形態において、動作条件１と動作条件２は、上記式（１）（ライブビュー表示時のＡｖ値≦静止画撮影時のＡｖ値）である。
【００９４】
図６及び図７の各図には、その上側、中央、下側に３つのグラフが示されている。上側のグラフの縦軸は、絞り値（Ａｖ値）を示している。中央のグラフの縦軸は、ライブビュー表示中の撮像感度（Ｓｖ（Sensitivity Value）値）を示している。下側のグラフの縦軸は、ライブビュー表示における狙いの露出からの誤差（ΔＥｖ（Exposure Value）値）を示しており、その狙いに対して露出オーバーをプラスとし、露出アンダーをマイナスとしている。また、図６の各グラフの横軸は、ライブビュー表示から静止画撮影（静止画露光）のブラックアウトまでの静止画撮影シーケンスの流れを示している。図７の各グラフの横軸は、静止画撮影（静止画露光）のブラックアウトからライブビュー表示までの静止画撮影シーケンスの流れを示している。また、図６の各グラフにおいて、動作条件１成立時を太い実線で示し、動作条件１非成立時を太い破線で示している。図７の各グラフにおいて、動作条件２成立時を太い実線で示し、動作条件２非成立時を太い破線で示している。また、図６の各グラフの左側及び図７の各グラフの右側に示されるライブビュー表示中の期間では、被写体輝度に応じてライブビュー表示が狙いの露出になるようにＡｖ値及び撮像感度Ｓｖ値が制御される（図２のステップ４０及び図５のステップ２１６参照）。また、ここでは、電子シャッタ速度Ｔｖ（Time Value）値は、説明簡略化のため、固定とする。なお、実際のカメラ制御では、Ｓｖ値の変わりにＴｖ値を変更して露出を合わせてもよいし、Ｓｖ値とＴｖ値を同時に変更してもよい。
【００９５】
図６において、まず、動作条件１非成立時について説明する。
上側のグラフにおいて、動作条件１非成立では、ライブビュー表示時のＡｖ値よりも小さいＡｖ値に静止画撮影時のＡｖ値が変更され、それが太い破線で示されている。中央のグラフでは、ライブビュー表示停止時の撮像感度のまま固定される例が示されている。このとき、仮にライブビュー表示をしたとした場合のライブビュー表示の露出誤差が、下側のグラフでは太い破線で示されている。この場合は、絞り２０２が開放側へ駆動することで、撮像素子１０２への光量が増すので、ライブビュー表示が露出オーバーになる。その後は、絞り２０２が静止画撮影時のＡｖ値に到達し、静止画撮影（静止画露光）を行うためライブビュー表示はブラックアウトする。ここでは、動作条件１非成立なので、ライブビュー表示停止タイミングは、絞り駆動前（ステップ２０４の前）である。なお、上側のグラフの更に上側に、ライブビュー表示停止タイミングが２箇所示されているが、動作条件１非成立時は左側のライブビュー表示停止タイミングとなる。そのため、絞り駆動中は、ブラックアウトしている状態となる。本実施形態では、ライブビュー表示するしないを明確化するために、このようにブラックアウトするとしたが、実際の制御では、ブラックアウトするのではなくライブビュー表示の最終駒を表示固定するようにしてもよい。
【００９６】
図６において、次に、動作条件１成立時について説明する。
動作条件１成立時は、絞り駆動中にライブビュー表示を行うケースである。この場合、ライブビュー表示時のＡｖ値から、Ａｖ値が大きくなる方向なので、ライブビュー表示される画像は露出アンダーの方向へ変化する。この場合は、絞り駆動完了後にブラックアウトする流れであるから、絞り駆動中にライブビュー表示をしたとしても、適正露出から露出アンダーとなり最後にブラックアウトする一連の動きは、見栄え上違和感無く、静止画露光前の像消失を最低限に抑えることができる制御となる。また、静止画露光前のシャッタ準備駆動の方向も、シャッタユニット１０１が閉状態へ駆動する方向のため、露出アンダー方向であり、シャッタユニット１０１の動作を考慮に入れても一方向への明るさ変動になることに変わりは無い。このことを図８に示す。
【００９７】
図８は、図６の中央のグラフが、シャッタユニット１０１の動作（メカニカルシャッタの開閉動作）の一例を示すグラフに置き換えられた図である。図８に示したように、メカニカルシャッタが閉じるタイミングによって、ブラックアウト開始タイミングが早まる程度の違いがあるに過ぎない。
【００９８】
次に、図７について説明する。
なお、図７において、中央のグラフに示したように、撮像感度Ｓｖは、静止画露光前のライブビュー表示で最後に使用した撮像感度Ｓｖ１（図６の中央のグラフ参照）を、ライブビュー表示開始時の撮像感度Ｓｖとして設定している。
【００９９】
図７において、動作条件２非成立時は、絞り２０２が閉じる方向へ駆動するものの、静止画露光のブラックアウト終了後は未だ絞り２０２が閉じきれていないために、ここでライブビュー表示をした場合には露出オーバーになってしまう。そこで、動作条件２非成立時には、ライブビュー表示開始が絞り駆動完了後に為されている。
【０１００】
図７において、動作条件２成立時は、絞り駆動前から同時にライブビュー表示が行われる。ここで、本実施形態では、静止画露光後に撮像素子１０２（及び撮像素子駆動ＩＣ１０３）が画像処理ＩＣ１０４へ撮像信号を出力する。この時、撮像信号の出力後にライブビュー表示状態へ撮像素子１０２の撮像モードを切り替える時間も考慮しているので、絞り駆動開始から若干遅れてライブビュー表示が開始されている。動作条件２成立時の絞り駆動方向は、ライブビュー表示が適正露出になる方向へ駆動するので、ブラックアウトから露出アンダーの画像を経て、狙いの露出に至るライブビュー表示となる。このときの一連の表示は、見栄え上、違和感が無い。また、静止画露光後のシャッタユニット１０１は、開状態方向への駆動となるため表示が明るくなる方向となり、全開状態時には狙いの露出になるものであり、このようなシャッタユニット１０１の動作を考慮に入れても一方向への明るさ変動になることに変わりは無い。このことを図９に示す。
【０１０１】
図９は、図７の中央のグラフが、シャッタユニット１０１の動作（メカニカルシャッタの開閉動作）の一例を示すグラフに置き換えられた図である。図９に示したように、ブラックアウトから適正露出に向かう速度が一部遅くなる程度の差があるに過ぎない。
【０１０２】
動作条件１及び動作条件２が成立した場合の表示例を、図１０（Ｃ）に示す。図１０（Ｃ）は、図５に示した本実施形態に係る静止画撮影処理中の表示例を時系列に示している。図１０（Ｃ）に示したように、静止画撮影（静止画露光）のブラックアウトから適正露出のライブビュー表示までの表示の明るさ変化方向が一方向に見えると共に、適正露出のライブビュー表示から静止画撮影（静止画露光）のブラックアウトまでの表示の明るさ変化方向が一方向に見えるようになる。このように、連写撮影中、ブラックアウトから適正露出への明るさ変化、又は、適正露出からブラックアウトへの明るさ変化であれば、連写撮影中の明るさ変化のつながりが自然となり、見栄えが良好となる。一方、動作条件１及び動作条件２が非成立の場合は、図１０（Ｂ）に示したような表示となる。
【０１０３】
これまで、絞り２０２の制御をシンプルな例で説明したが、実際のカメラ制御においても本実施形態に係る制御の効果が大きいことは勿論のことである。それは、例えば、次のような理由により明らかである。
【０１０４】
ライブビュー表示中に行うＡＦは、被写界深度が浅い状態でピント位置を検出することが望ましい。そのため、静止画撮影時のＡｖ値≧ライブビュー表示時のＡｖ値であること（即ち上記式（１）が成立すること）が、連写速度などのレスポンス面で合理的である。
【０１０５】
また、ＡＦで最適な絞り状態は絞り開放の状態である。つまり、Ａｖ値が最小となる状態である。この状態は、本実施形態に係るライブビュー表示の停止及び開始のタイミングを決定する動作条件１及び動作条件２と一致している。
【０１０６】
よって、一般的な撮影シーンにおいて、ライブビュー表示の像消失時間短縮や静止画撮影後のライブビュー表示早期再開が可能になる。
一方、静止画撮影時のＡｖ値＜ライブビュー表示時のＡｖ値となる場合（即ち上記式（１）が成立しない場合）は、ＬＶＡＦを行うために一度開放側に絞り２０２を開く必要がある。このような、上記式（１）が成立しないケースは、特殊な光源下において、ライブビュー表示で選択され得る電子シャッタ速度及び撮像感度と、静止画撮影で選択され得る電子シャッタ速度及び撮像感度の違いによって生じる。この場合は、従来の制御（図４に示した静止画撮影処理）と同様の制御が行われることになるが、撮像素子１０２は日々進歩しており、ライブビュー表示における撮像感度設定範囲及び電子シャッタ速度設定範囲は広がる方向にあるため、このような状況は将来的に減っていくと考えられる。従って、本実施形態に係る制御（図５に示した静止画撮影処理）によって像消失時間を短縮可能な撮影状況は、今後益々増えることは明らかである。
【０１０７】
なお、本実施形態に係るカメラにおいては、次のような変形が可能である。
例えば、変形例１として、動作条件１及び動作条件２の各々は、絞り値（Ａｖ値）に関する条件に限らず、図５のステップ２０５でのレンズ駆動量（ステップ２０１で決定したレンズ位置へ撮影レンズ２０１を駆動する際のレンズ駆動量）に関する条件を追加するようにしてもよい。この場合、各動作条件は、例えば、レンズ駆動量が所定量以下であって且つ上記式（１）が成立する条件となる。従って、レンズ駆動量が所定量より大きい場合（即ち各動作条件を満たさない場合）において、例えば静止画露光前では、ステップ２０２及び２０７の各々の判定がＮｏになって、ステップ２０４、２０５、及び２０６の並列処理が行われる前にライブビュー表示が停止することになる。なお、本変形例では、レンズ駆動量の代わりに、ピント位置の像面移動量を用いてもよく、この場合には、よりライブビュー表示の見栄えに関連性が高い判定を行うことができる。
【０１０８】
また、本実施形態では、図５に示したように、静止画露光前及び静止画露光後の各々において、動作条件の成立又は非成立に応じてライブビュー表示のタイミング制御が行われていた。しかしながら、例えば、変形例２として、そのようなタイミング制御が、静止画露光前又は静止画露光後の何れか一方のみに行われるようにしてもよい。図１１は、そのような変形例２に係る静止画撮影処理の一例を示すフローチャートである。図１１に示した例では、静止画露光後のみにおいて、動作条件の成立又は非成立に応じたライブビュー表示のタイミング制御が行われている。この場合は、静止画露光後に、ライブビュー表示の開始タイミングを早める効果を得ることができる。なお、図１１に示した例において、静止画露光前では、ステップ２０１の処理が行われた後であって、且つ、ステップ２０４、２０５、及び２０６の並列処理が行われる前に、ライブビュー表示が停止するように、処理が行われている。
【０１０９】
また、本実施形態の静止画撮影処理では、ライブビュー表示中における絞り駆動による明るさ変動が一方向になることで、図６及び図７等に示したように、撮像素子１０２の電子シャッタ速度及び撮像感度が絞り駆動期間中に固定とされた。しかしながら、例えば、変形例３として、ライブビュー表示中における絞り駆動による明るさ変動を打ち消す方向に、撮像素子１０２の電子シャッタ速度及び撮像感度の一方又は両方を変更するようにしてもよい。なお、本実施形態で想定される静止画撮影（露光）前後の絞り駆動は高速であるために、露出安定までは対応できない場合があるかもしれないが、少なくとも、露出変動の軽減を狙うことは可能である。
【０１１０】
図１２及び図１３は、このような変形例３と第１の実施形態との違いを説明する図である。なお、図１２及び図１３は、図６及び図７に対応する図である。但し、図１２及び図１３において、太い実線は変形例３を示し、太い破線は第１の実施形態（但し、動作条件成立時）を示す。図１２及び図１３に示したように、変形例３では、ライブビュー表示中における絞り駆動中において、その絞り駆動による露出（明るさ）変動を打ち消す方向に、撮像感度Ｓｖ値が変更される。例えば、図１２では、絞り駆動による露出変動を打ち消すように撮像感度Ｓｖ値が感度アップされることで、ブラックアウトまでのライブビュー表示が、より狙いの露出レベルに近い表示で提供することができる。なお、一般的に静止画撮影（露光）前後の絞り駆動と撮像感度及び電子シャッタ速度との同期は容易ではない。そこで、過補正（過変更）による露出オーバーな画像を表示させないために、感度アップ量（又は電子シャッタ速度を遅くする量を）を少なめにして露出アンダー量を軽減することを狙いとした制御を行うことが望ましい。
【０１１１】
また、本実施形態では、動作条件１及び動作条件２を上記式（１）のように定義した。この式（１）は、ライブビュー表示からブラックアウトまでに露出オーバーな画像を表示させないようにする等のための式であり、説明の便宜のために、よりシンプルにした式でもある。例えば、１／６段程度の微小な露出オーバーであれば、ユーザは見栄え的に明るくなったことに気づきにくい。さらに、像消失時間短縮とライブビュー表示の見栄えとを天秤にかけた場合、人により見苦しさの許容範囲は異なるので、被写体を追いかけることを優先して像消失時間の短縮を優先したいという要望も考えられる。また、撮像出力（撮像素子１０２及び撮像素子駆動ＩＣ１０３の出力）から画像処理ＩＣ１０４で画像生成する際に使用されるガンマカーブを、よりフラットにすることで、撮像露光量変動に対して、ライブビュー表示の明るさ変動を目立たなくさせることができるので、見苦しさを抑えることができる。但し、ガンマカーブをフラットにすると低コントラストの画像になり、ライブビュー表示の画像がメリハリのない画像になってしまう場合があるので、ガンマカーブのフラット化には限度がある。これらのことから、連写撮影中に露出オーバーにならないことは理想であるものの、見苦しさと引き換えに、露出オーバーな画像を表示することで像消失時間の短縮を優先することも考えられる。そこで、変形例４として、上記式（１）（動作条件１及び動作条件２）を、ライブビュー表示における許容範囲内の露出オーバー量を考慮した動作条件式となる下記式（２）へ変更するようにしてもよい。
【０１１２】
ライブビュー表示時のＡｖ値≦静止画撮影時のＡｖ値＋オフセット値      式（２）
この式（２）において、オフセット値は、ライブビュー表示の際に使用されるガンマカーブに基づく値であり、例えば、Ｂμｃｏｍ１１０内の図示しない不揮発性メモリに予め記憶されている。このオフセット値は、例えば、ユーザによるカメラ操作スイッチ１１３の操作に応じて設定又は変更されてもよい。この場合、例えば、カメラ操作スイッチ１１３の操作により、「ライブビュー表示品質優先」又は「像消失時間短縮優先」のどちらかを選択可能に構成し、そのどちらかの選択に応じて、式（２）で使用されるオフセット値が設定されるようにしてよい。なお、この場合は、「ライブビュー表示品質優先」に対応するオフセット値よりも「像消失時間短縮優先」に対応するオフセット値の方が、大きな値となる。なお、カメラ操作スイッチ１１３のモード変更スイッチ等の操作により、連写撮影モードと単写撮影モードが設定可能である場合に、単写撮影モードに設定された時には動作条件１、２の判定を行わない処理としてもよい。すなわち、連写撮影モードの場合は図５に示す静止画撮影処理を行い、単写撮影モードの場合は、図５の静止画撮影処理の代わりに、図４に示す静止画撮影処理を行うようにしてもよい。単写撮影では、連写撮影のように、被写体を追いかけ易くすることよりも、品位の高いライブビュー画像を表示することの方が好ましいからである。
＜第２の実施形態＞
【０１１３】
本発明の第２の実施形態に係るカメラは、第１の実施形態に係るカメラに対して、構成及び動作の一部が異なる。そこで、第２の実施形態の説明では、その異なる点を中心に説明することとし、第１の実施形態で説明した要素と同一の要素については、同一の符号を付して説明する。
【０１１４】
第２の実施形態に係るカメラでは、ライブビュー表示の画質判定を行い、その判定結果に応じてライブビュー表示の停止及び開始のタイミングが制御される。
図１４は、第２の実施形態に係る静止画撮影処理（ステップ６０）の一例を示すフローチャートである。なお、第２の実施形態に係るカメラの基本動作は、図２に示した、第１の実施形態に係るカメラの基本動作と同様である。従って、図１４に示した静止画撮影処理は、図２のステップ５０においてレリーズボタンが押下されると（図２のステップ５０がＹｅｓ）、開始する。
【０１１５】
図１４において、まず、ステップ３００では、図５のステップ２００と同様に、被写体を測光し、得られた測光値から静止画撮影時の露出条件を決定する。この露出条件は、例えば、静止画撮影時のＡｖ値、シャッタ速度、及び撮像感度である。
【０１１６】
続くステップ３０１では、図５のステップ２０１と同様に、ＬＶＡＦを行い、被写体にピントを合わせるレンズ位置（撮影レンズ２０１の位置）を検出（決定）する。
続くステップ３０２、３０３、３０４、及び３０５の処理は並列に行われる。
【０１１７】
ステップ３０２、３０３、及び３０４では、図５のステップ２０４、２０５、及び２０６と同様の処理が行われる。すなわち、ステップ３０２では、ライブビュー表示時の絞り位置から静止画撮影時の絞り位置へ絞りを駆動する。ステップ３０３では、ステップ３０１で決定したレンズ位置へ撮影レンズ２０１を駆動する。ステップ３０４では、露光前シャッタ準備処理を行う。
【０１１８】
ステップ３０５では、静止画露光前のライブビュー表示停止タイミングを、ライブビュー表示の画質に応じて制御する、というライブビュー表示停止処理を行う。なお、ステップ３０５の詳細は、図１５を用いて後述する。
【０１１９】
ステップ３０２、３０３、３０４、及び３０５の並列処理の後、ステップ３０６では、図５のステップ２０９と同様に、静止画露光を行う。
続くステップ３０７、３０８、及び３０９の処理は並列に行われる。
【０１２０】
ステップ３０７では、静止画露光後のライブビュー表示開始タイミングを、ライブビュー表示の画質に応じて制御する、というライブビュー表示開始処理を行う。なお、ステップ３０７の詳細は、図１６を用いて後述する。
【０１２１】
ステップ３０８及び３０９では、図５のステップ２１０及び２１３と同様の処理が行われる。すなわち、ステップ３０８では、静止画撮影時の絞り位置からライブビュー表示時の絞り位置へ絞り２０２を駆動する。ステップ３０９では、静止画露光のために駆動したシャッタユニット１０１を、露光前の状態に戻し、ライブビュー表示再開のためシャッタユニット１０１を全開状態にする動作を行う。
【０１２２】
ステップ３０７、３０８、及び３０９の並列処理の後、ステップ３１０では、図５のステップ２１６と同様に、ＬＶ測光を行い、得られた測光値から、ライブビュー表示の露出が狙いの露出になるように露出更新の制御を行う（ＬＶ測光及びライブビュー露出更新の制御）。
【０１２３】
ステップ３１１では、図５のステップ２１７と同様に、連写撮影の場合、設定された連写速度で連写撮影を行うために、次駒撮影タイミングになったか否かを判定する。
ステップ３１１の判定において、次駒撮影タイミングになっていないと判定した場合は（ステップ３１１がＮｏ）、ステップ３１０へ戻る。
【０１２４】
一方、ステップ３１１の判定において、次駒撮影タイミングになったと判定した場合（ステップ３１１がＹｅｓ）、続くステップ３１２では、図５のステップ２１８と同様に、レリーズボタンが継続して押下されているか否かを判定する。
【０１２５】
ステップ３１１の判定において、継続して押下されていると判定した場合は（ステップ３１１がＹｅｓ）、ステップ３０１へ戻る。これにより、レリーズボタンが継続して押下されている間は、ステップ３０１からステップ３１２までの処理が繰り返され、連写撮影が行われる。
【０１２６】
一方、ステップ３１１の判定において、継続して押下されていないと判定した場合は（ステップ３１１がＮｏ）、第２の実施形態に係る静止画撮影処理が終了し、リターンする。
【０１２７】
図１５は、ライブビュー表示停止処理（ステップ３０５）の一例を示すフローチャートである。
図１５に示したように、まず、ステップ４００では、当該ライブビュー表示停止処理と共に並列に行われているステップ３０２、３０３、及び３０４（図１４参照）の処理が完了したか否かを判定する。
【０１２８】
ステップ４００の判定において、その並列処理が完了したと判定した場合（ステップ４００がＹｅｓ）、ステップ４０１、４０２、及び４０３をスキップして、ステップ４０４へ進む。
【０１２９】
一方、ステップ４００の判定において、その並列処理が完了していないと判定した場合（ステップ４００がＮｏ）、続くステップ４０１では、撮像素子１０２及び撮像素子駆動ＩＣ１０３から出力される、ライブビュー表示され得る１フレーム分の画像データを、画像処理ＩＣ１０４が取得する。
【０１３０】
続くステップ４０２では、ステップ４０１で取得した画像データに基づいて、画像処理ＩＣ１０４及びＢμｃｏｍ１１０が、当該画像データに係る画像の明るさを計算する。なお、この明るさの計算方法はＬＶ測光と同様でよいが、画像の所定の一部に対応する領域を測光するのではなく、画像全体に対応する領域を測光して明るさ計算を行うことが望ましい。既存の測光方式を例に説明すると、「スポット測光」よりも「多分割測光」や「平均測光」を行って明るさ計算をした方が、被写体の動きの影響を受けにくく計算結果が安定するので、好適である。
【０１３１】
続くステップ４０３では、ステップ４０２で計算された明るさが所定の明るさ（目標の明るさ）よりも暗いか否かに応じてライブビュー表示ＯＫか否かを判定する。なお、ライブビュー表示ＯＫとは、見栄え上、ライブビュー表示可能な画質である、ということでもある。
【０１３２】
ステップ４０３の判定において、計算された明るさが所定の明るさよりも暗いためにライブビュー表示ＯＫと判定した場合は（ステップ４０３がＹｅｓ）、ステップ４００へ戻る。
一方、ステップ４０３の判定において、計算された明るさが所定の明るさよりも暗くないためにライブビュー表示ＯＫでないと判定した場合は（ステップ４０３がＮｏ）、ステップ４０４へ進む。
【０１３３】
ステップ４０４ではライブビュー表示を停止する。
そして、ステップ４０４が完了すると処理がリターンする。
このようなライブビュー表示停止処理によれば、図１４のステップ３０２、３０３、及び３０４の並列処理中である場合には、ライブビュー表示され得る１フレーム分の画像の明るさが所定の明るさ以上になると、ライブビュー表示が停止する。すなわち、見栄え上、ライブビュー表示可能なフレームが取得されている間は、ライブビュー表示が停止しない。一方、図１４のステップ３０２、３０３、及び３０４の並列処理が完了した場合には、速やかに静止画露光ができるように、速やかにライブビュー表示が停止する。
【０１３４】
図１６は、ライブビュー表示開始処理（ステップ３０７）の一例を示すフローチャートである。
図１６に示したように、まず、ステップ５００では、当該ライブビュー表示開始処理と共に並列に行われているステップ３０８及び３０９（図１４参照）の処理が完了したか否かを判定する。
【０１３５】
ステップ５００の判定において、その並列処理が完了したと判定した場合は（ステップ５００がＹｅｓ）、ステップ５０１、５０２、及び５０３をスキップし、ステップ５０４へ進む。
【０１３６】
一方、ステップ５００の判定において、その並列処理が完了していないと判定した場合（ステップ５００がＮｏ）、続くステップ５０１及び５０２では、図１５のステップ４０１及び４０２と同様の処理が行われる。すなわち、ステップ５０１では、撮像素子１０２及び撮像素子駆動ＩＣ１０３から出力される、ライブビュー表示され得る１フレーム分の画像データを、画像処理ＩＣ１０４が取得する。ステップ５０２では、ステップ５０１で取得した画像データに基づいて、画像処理ＩＣ１０４及びＢμｃｏｍ１１０が、当該画像データに係る画像の明るさを計算する。
【０１３７】
ステップ５０３では、ステップ５０２で計算された明るさが所定の明るさ（目標の明るさ）よりも暗いか否かに応じてライブビュー表示ＯＫか否かを判定する。
ステップ５０３の判定において、計算された明るさが所定の明るさよりも暗くないためライブビュー表示ＯＫでないと判定した場合は（ステップ５０３がＮｏ）、ステップ５００へ戻る。
【０１３８】
一方、ステップ５０３の判定において、計算された明るさが所定の明るさよりも暗いためにライブビュー表示ＯＫと判定した場合は（ステップ５０３がＹｅｓ）、ステップ５０４へ進む。
【０１３９】
ステップ５０４では、ライブビュー表示を開始する。
そして、ステップ５０４が完了すると処理がリターンする。
このようなライブビュー表示開始処理によれば、図１４のステップ３０８及び３０９の並列処理中である場合には、ライブビュー表示され得る１フレーム分の画像の明るさが所定の明るさ未満になると、ライブビュー表示が開始する。すなわち、見栄え上、ライブビュー表示可能なフレームが取得されるまでは、ライブビュー表示が開始しない。一方、図１４のステップ３０８及び３０９の並列処理が完了した場合には、速やかにライブビュー表示が開始する。
【０１４０】
図１７は、図１４に示した静止画撮影処理中のＥＶＦ液晶３０１又は背面液晶モニタ１０６の表示例を図１４の上側から下側へ時系列に示すと共に、画質判定に基づくライブビュー表示の一例を説明する図である。なお、図１７において、「判定する画像」は、図１５のステップ４０１で取得される１フレーム分の画像データに係る画像、又は、図１６のステップ５０１で取得される１フレーム分の画像データに係る画像である。
【０１４１】
図１７に示したように、図１４の静止画撮影処理によれば、静止画露光前である、ステップ３０２、３０３、及び３０４の並列処理中、又は、静止画露光後である、ステップ３０８及び３０９の並列処理中において、ライブビュー表示判定が行われ（図１７の右側を参照）、目標の明るさよりも明るい画像は表示されない。即ち、この場合は、ブラックアウトする。
【０１４２】
なお、図１４の静止画撮影処理では、ライブビュー表示され得る１フレーム分の画像データ取得後に判定処理が行われるため、第１の実施形態に係る静止画撮影処理（図５参照）に比べ、ライブビュー表示が遅延するものの、そのような遅延は、より高速な処理速度を有する画像処理ＩＣ１０４及びＢμｃｏｍ１１０の採用によって軽減される。
【０１４３】
なお、第２の実施形態に係るカメラにおいては、次のような変形が可能である。
例えば、ライブビュー表示され得る画像において、画質調整により補正可能なものについては補正するようにしてもよい。このような補正は、例えば、ガンマカーブを一時的に変更することによって実現することができる。
【０１４４】
図１８は、このような変形例を採用した場合の、画質判定に基づくライブビュー表示の一例を説明する図である。なお、図１８は、図１７の右側に示したものに対応する図である。図１８において、「補正した画像」は、ライブビュー表示され得る画像において、画質調整により補正可能なものが補正された画像を示している。このような変形例によれば、第２の実施形態に比べ、例えば、像消失時間の更なる短縮が可能となる。
【０１４５】
なお、画像データは一般的に画素毎に明るさデータを持つが、この明るさを所定のテーブルを用いて変換することで、明るさの調節が可能である。
図１９は、その変換テーブルの一例を示す図である。
【０１４６】
図１９に示したように、使用する変換テーブルを選択することによって、補正前明るさデータに応じた補正後明るさデータが決定される。例えば、明るさを半分にする変換テーブルを用いることによって、明るさを半分にする補正が可能になる。
【０１４７】
このような変形例では、例えば、撮像出力（撮像素子１０２及び撮像素子駆動ＩＣ１０３の出力）から画像を生成する際のガンマテーブルのカーブを、画像が露出アンダーになるように変更すればよい。
【０１４８】
この変形例では、第２の実施形態に比べて、画像補正を行う分、ライブビュー表示が更に遅延するものの、そのような遅延も、より高速な処理速度を有する画像処理ＩＣ１０４及びＢμｃｏｍ１１０の採用によって軽減される。
【０１４９】
以上、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、様々の発明を形成できる。例えば、実施形態に示される全構成要素のいくつかの構成要素を削除してもよい。さらに、異なる実施形態にわたる構成要素を適宜組み合わせてもよい。
【符号の説明】
【０１５０】
１００      ボディユニット
１０１      シャッタユニット
１０２      撮像素子
１０３      撮像素子駆動ＩＣ
１０４      画像処理ＩＣ
１０５      ＳＤＲＡＭ
１０６      背面液晶モニタ
１０７      バックライト
１０８      通信コネクタ
１０９      記録メディア
１１０      Ｂμｃｏｍ
１１１      通信コネクタ
１１２      シャッタ駆動制御回路
１１３      カメラ操作スイッチ
２００      レンズユニット
２０１（２０１ａ、２０１ｂ）  撮影レンズ
２０２      絞り
２０３      レンズ駆動機構
２０４      絞り駆動機構
２０５      Ｌμｃｏｍ
３００      ＥＶＦユニット
３０１      ＥＶＦ液晶
３０２      バックライト
３０３      接眼レンズ
【図１】
0006765820.tif 000002
【図２】
0006765820.tif 000003
【図３】
0006765820.tif 000004
【図４】
0006765820.tif 000005
【図５】
0006765820.tif 000006
【図６】
0006765820.tif 000007
【図７】
0006765820.tif 000008
【図８】
0006765820.tif 000009
【図９】
0006765820.tif 000010
【図１０】
0006765820.tif 000011
【図１１】
0006765820.tif 000012
【図１２】
0006765820.tif 000013
【図１３】
0006765820.tif 000014
【図１４】
0006765820.tif 000015
【図１５】
0006765820.tif 000016
【図１６】
0006765820.tif 000017
【図１７】
0006765820.tif 000018
【図１８】
0006765820.tif 000019
【図１９】
0006765820.tif 000020